(57)【特許請求の範囲】
【請求項１】
モニター画面を有し、かつ両側面にガイドピンを対称位置に２本ずつ突出させたモニター筐体と、
前記モニター筐体の側面に対向して、前記ガイドピンを摺動状態で係合するガイド溝を有するフレームとを備え、
前記ガイド溝は直線溝と直線溝及び曲線状の溝の２本からなり、前記モニター筐体を直線上に移動させる直線部と回動させる回動部とを有し、
前記ガイドピンの位置関係は上下かつ斜めに配置され、前方のガイドピンが下側で後方のガイドピンが上側に配置され、
かつ後方のガイドピンはマイナス型の突起部を有し、
前方のガイドピンが前記ガイド溝の直線及び曲線状の溝に係合され、後方のガイドピンが直線溝に係合され、
回動時の回転中心は後方のガイドピンの中心に固定される表示装置。
【請求項２】
モニター画面を有し、かつ両側面にガイドピンを対称位置に２本ずつ突出させたモニター筐体と、
前記モニター筐体の側面に対向して、前記ガイドピンを摺動状態で係合するガイド溝を有するフレームとを備え、
前記ガイド溝は直線溝と直線溝及び曲線状の溝の２本からなり、前記モニター筐体を直線上に移動させる直線部と回動させる回動部とを有し、
前記直線溝の前方先端部横にスリット溝を備えた角度調節用のヒンジレバーと電気回路付ロータリースイッチを設置し、
前記モニターが直線溝終点まで引き出された時に、前記後方のガイドピンのマイナス型突起部が角度調節用のヒンジレバーのスリット溝に挿入され、
モニター回動と同時に前記ヒンジレバーとロータリースイッチが連動する事により、モニター回動角度調節ができ、なおかつ電気回路付ロータリースイッチが連動する事により、モニターの電源の入／切ができ、回動角度によりモニター画面の画質調整或いはバックライトの輝度調整を行う回路を持つ表示装置。
【発明の詳細な説明】
【０００１】
【発明の属する技術分野】
本発明は、液晶モニター画面を有するモニター筐体を視聴しやすい位置に回  動固定でき、回動する事により液晶モニターの電源の入／切ができ、任意の回  動位置での液晶画面の画質調整或いはバックライトの輝度調整ができる表示装  置に関するものである。
【０００２】
【従来の技術】
近年、表示装置はその表示素子として液晶画面が軽量小型薄型による携帯性により多く使用されている。
従来の表示装置は、例えばカーステレオ装置に良く見られるように、モニタ  ー筐体を横にした状態で収納し、視聴時には収納状態から横にしたまま、モニ  ター筐体をガイドに添わせて摺動機構で摺動させて引き出し、引き出しが完了  後、摺動機構を止め、回動機構によるモニター筐体の回動を初めて液晶モニター画面を略々垂直に立てるものがあった。
【０００３】
【発明が解決しようとする課題】
しかしながら上記の従来の構成では、摺動の為のガイド機構及び摺動機構と回動の為の回動機構を別々に構成せねばならず、小型で簡単な機構にできないという課題が有った。
また、従来の構成では摺動と回動を電動駆動するものが多く、特に携帯性を要する機器に対してはバッテリー駆動のものが多く、電池容量の面から見てもモニターを回動した時だけ電源が入る構成が必要であった。
本発明は上記従来の問題点を解決するもので、収納用のガイド機構と回動用の機構とを共用化した表示装置を提供する事を目的とする。
また、視認に適した回動角度を保持すると共に回動の時だけモニターの電源  が入り、回動角度によりモニター画面の画質調整或いはバックライトの輝度調  整ができる表示装置を提供する。
【０００４】
【課題を解決するための手段】
この目的を達成する為に本発明の表示装置は、モニター画面を有し、かつ両側面にガイドピンを対称位置に２本ずつ突出させ、ガイドピンの位置関係は上下かつ斜めに配置され、前方のガイドピンが下側で後方のガイドピンが上側に配置され、後方のガイドピンにマイナス型の突起部を有したモニター筐体と、モニター筐体の側面に対向して、前記ガイドピンを摺動状態で係合するガイド溝を有するフレームとを備え、ガイド溝は直線溝と直線溝及び曲線溝の２本からなり、前記モニター筐体を直線上に移動させる直線部と、回動させる回動部とを有する事を特徴とする構成である。
【０００５】
この構成によってモニター筐体を直線上に移動させる直線部と、回動させる回動部とを備えたガイド溝に、モニター筐体のガイドピンを摺動させる事で、収納用のガイド機構と回動用の機構とを共用化できる。さらに前記ガイドピンの位置を上下かつ斜めに配置して回動する事により、回動時の回転中心が固定されるので、前記直線溝の前方先端部横にスリット溝を備えた角度調節用のヒンジレバーとヒンジレバーに連動する電気回路付ロータリースイッチを設置する事で、前記モニターが直線溝終点まで引き出された時に、前記後方のガイドピンのマイナス型突起部が角度調節用のヒンジレバーに挿入され、モニター回動と同時に前記ヒンジレバーと電気回路付ロータリースイッチが連動する事により、モニターの回動角度が調節でき、なおかつロータリースイッチが連動するので、モニターの電源の入／切及びモニター画面の画質調整、或いはバックライトの輝度調整ができるようになる。
【０００６】
【発明の実施の形態】
以下、本発明の実施の形態について、図面を用いて説明する。
【０００７】
（実施の形態１）
図１は本発明の表示装置の斜視構成図で、（ａ）が収納状態、（ｂ）が視認状態である。図２は視認状態時での側面図である。図１，図２において、１はモニター筐体で、収納状態（図１（ａ））では下部になるようにモニター画面１ｍを備える正面が構成され、かつ、その両側面には先ガイドピン１ｆと、後ガイドピン１ｒがそれぞれモニター筐体の正面と平行な位置に各々植立せれている。先ガイドピン１ｆと後ガイドピン１ｒの位置関係は、先ガイドピン１ｆが前方下側で後ガイドピン１ｒが後方上側に位置し、各々斜めの位置関係となっている。また後ガイドピン１ｒにはマイナス型の突起部が有り、モニター回動時に、後に述べる回動角度調節用ヒンジレバーと電気回路付ロータリースイッチを連動させる役割を持つ。モニター筐体１の上面にはハンドル１ｈが構成されている。
２はフレームで、モニター筐体１をその先・後ガイドピン１ｆ、１ｒにて支持しガイドするように、フレーム２の両側面にはガイド２ｇと２ｐがスリット孔状に構成されている。先ガイドピン１ｆはガイド２ｇに係合され、後ガイドピン１ｒはガイド２ｐに係合される。ガイド２ｇは図に示すように「Ｊ」の字状に構成され、直線上の直線部２ｑと曲線状の回動部２ｒとからなる。またガイド２ｐは直線長孔となっており、モニター１が引き出された時、後ガイドピン１ｒがガイド２ｐ先端の２ｃを中心として回動する構成となっている。
３はスリット溝を備えた回動角度調節用のヒンジレバーであり、ヒンジレバー３と連動する電気回路用ロータリースイッチ４が構成されている。モニター１が直線溝２ｐ、２ｑを介し先端まで引き出された時、後ガイドピン１ｒのマイナス型突起部がヒンジレバー３のスリット溝に係合されるよう、ヒンジレバー３はガイド２ｐの先端部横に構成される。
以上のように構成された表示装置について図１、図２、図３及び図４を用いてその動作を説明する。図３は、表示装置の動作遷移説明図であって、モニター筐体、フレームを側面から見た模式図で、同図（ａ）が収納状態（すなわち図１（ａ）に相当）、同図（ｂ）がモニター筐体を引き出し回動状態になる直前、（ｃ）は回動状態、（ｄ）は９０度回動固定状態、（ｅ）が１２０度回動固定状態である。
図４は、回転中心部分の動作遷移拡大説明図であって、後方ガイドピンとヒンジレバー及び電気回路付ロータリースイッチを側面から見た模式図で、同図（ａ）が引き出し途中、同図（ｂ）がモニター筐体を引き出し回動状態になる直前、（ｃ）は回動状態である。
図１〜図４において、先・後ガイドピン１ｆ・１ｒがガイド直線部の２ｑ、２ｐに支持され摺動するので使用者はハンドル１ｈを持って、モニター筐体１を引き出す。図３（ｂ）に示す直線部終点の位置までモニター筐体１が引き出されると、先ガイドピン１ｆがガイド２ｇの直線部２ｑから回動部２ｒに進入すると同時に後ガイドピン１ｒのマイナス型突起部が、角度調節用ヒンジレバー３のスリット溝に進入する。その後、直線溝先端の２ｃを回動中心としてモニター筐体１が回動を始める。後ガイドピン１ｒも回動するので、角度調節用ヒンジレバー３及びロータリースイッチ４も連動回動する（同図（ｃ））。まず、ロータリースイッチ４が動作する為、ロータリースイッチ４に取り付けられた電気回路により、モニターの電源が入り、ロータリースイッチ４のツマミ部回転角度により、モニター画面の画質調整或いはバックライトの輝度調整が電気回路により制御される。このようにして、９０度回転（同図（ｄ））を経て、最終的に先ガイドピン１ｆが、回動部２ｒの終点に至って、回動が終了する（同図（ｅ）の１２０度回動状態）。
逆に、収納する時には上述と逆の順で、先ガイドピン１ｆは回動部２ｒを逆方向に移動し、後ガイドピン１ｒ同位置で逆回転する。後ガイドピンのマイナス型突起部がガイド２ｐと平行位置になった時、モニターの電源は切れる。その後、両ガイドピン１ｆ、１ｒが直線部２ｑ、２ｐを移動し収納される。
【０００８】
（実施の形態２）
図５に本発明の実施の形態２の表示装置の斜視構成図を示す。実施の形態１と同様に、モニター筐体１１は、ガイド１２ｇ（直線部１２ｑ、回動部１２ｒ）に摺動可能に係止された先ガイドピン１１ｆと、ガイドの直線部１２ｐに摺動可能に係止された後ガイドピン１１ｒとを有する。先に詳述した実施の形態１と異なっているのは、長径と短径を有する長円状（陸上競技のトラックのような形状）あるいは楕円状の後ガイドピン１１ｒが支持摺動するガイド１２ｐは、その幅が後ガイドピン１１ｒの長径より小で、短径よりやや大きく構成されていることである。また、後ガイドピン１１ｒはそのままロータリースイッチ１４の回動軸となっており、ロータリースイッチ１４がモニター筐体１１内に固定されていることである。それ以外の構成は実施の形態１のものと同様なものである。
【０００９】
これにより、モニター筐体１１が摺動された後上方に回動するときに、上述と同様に先ガイドピン１１ｆがガイド１１ｇに添って回動すると共に、ガイド２ｐが後ガイドピン１１ｒの回動を止めているので、モニター筐体１１に固定されたロータリースイッチ１４が相対的に回ることになり、実施の形態１と同様にスイッチが入ったりできる。
なお、実施の形態１の説明では、ガイドを溝状の貫通孔としたが、図５に示した実施の形態２のように、電気回路付ロータリースイッチ１４をモニター筐体１１の中に構成してガイドピン１１ｆ，１１ｒを挿入して摺動できる構成ならば貫通孔でなくとも良く、溝状穴としても良い。また、実施の形態２の場合だと、ロータリースイッチ１４がモニター筐体１１内の構成されているので、ロータリースイッチ１４とモニター筐体１１内電子回路（図示せず）との電気的接続結線等も非常に容易にできるという効果も有する。
【００１０】
【発明の効果】
以上のように本発明は、モニター筐体を直線上に移動させる直線部と、回動させる回動部とを備えたガイド溝にモニター筐体のガイドピンを摺動させることで、収納用のガイド機構と回動用の機構とを共用化しており、またガイドピンを直接、角度調節用のヒンジレバーや電気回路付きロータリースイッチと連動させる事で、部品構成を少なくできる。
更に、モニターが回転した時だけ、電源の入／切ができるので節電につながり、バッテリー駆動の機器などには有効である。また、任意の回動角度での画質調整或いはバックライトの輝度調整ができるので、煩わしい画面調整が不要となる。
【図面の簡単な説明】
【図１】（ａ）本発明の実施の形態１の表示装置の斜視構成図（収納時）
（ｂ）同、実施の形態１の表示装置の斜視構成図（視認時）
【図２】同、要部拡大側面図
【図３】同、実施の形態１における動作説明の為の遷移図
【図４】同、実施の形態１における動作説明の為の遷移拡大図（回転中心部分）
【図５】同、実施の形態２における表示装置の斜視構成図（引き出し状態）
【符号の説明】
１  モニター筐体
１ｈ  ハンドル
１ｆ  先ガイドピン
１ｒ  後ガイドピン
１ｍ  モニター画面
２  フレーム
２ｇ  ガイド
２ｐ  直線部
２ｑ  直線部
２ｒ  回動部
２ｃ  回動中心
３  ヒンジレバー
４  電気回路付ロータリースイッチ
【図１】
0003678176.tif 000002
【図２】
0003678176.tif 000003
【図３】
0003678176.tif 000004
【図４】
0003678176.tif 000005
【図５】
0003678176.tif 000006